(57)【特許請求の範囲】
【請求項１】
レンズ鏡筒において、
上記レンズ鏡筒の光軸方向に移動可能な枠部材と、
回動を禁止され、上記枠部材に対して所定の範囲内で上記光軸方向に相対移動可能なように装着され、他の部材との当接により上記枠部材との光軸方向の相対位置を変更可能なフレア絞り部材と、
を具備することを特徴とするレンズ鏡筒。
【請求項２】
レンズ鏡筒において、
上記レンズ鏡筒の光軸方向に移動可能な第１の枠部材と、
上記第１の枠部材と相対移動して上記光軸方向に進退可能な第２の枠部材と、
上記第１の枠部材に対して上記光軸方向に相対移動可能なように装着され、上記第２の枠部材との光軸方向の当接により上記光軸方向に移動するフレア絞り部材と、
を具備することを特徴とするレンズ鏡筒。
【請求項３】
上記第２の枠部材と上記フレア絞り部材との上記当接によって、上記フレア絞り部材は上記第１の枠部材から離間することを特徴とする請求項２に記載のレンズ鏡筒。
【請求項４】
上記フレア絞り部材と上記第１の枠部材との離間状態において、上記フレア絞り部材と上記第２の枠部材との離間状態では上記第１の枠部材と上記フレア絞り部材との上記離間状態を保持することを特徴とする請求項３に記載のレンズ鏡筒。
【請求項５】
レンズ鏡筒を有するカメラにおいて、
上記レンズ鏡筒が取り付けられるカメラ本体と、
上記カメラ本体に対し、上記レンズ鏡筒の光軸方向に移動可能な第１の枠部材と、
上記第１の枠部材と相対移動して上記光軸方向に進退可能な第２の枠部材と、
上記第１の枠部材に対して上記光軸方向に相対移動可能なように装着され、上記第２の枠部材との光軸方向の当接により上記光軸方向に移動するフレア絞り部材と、
を具備することを特徴とするレンズ鏡筒を有するカメラ。
【請求項６】
上記フレア絞り部材は、上記カメラ本体に当接した後、上記第１の枠部材の光軸方向の移動に応じて当該第１の枠部材に対して光軸方向に相対移動することを特徴とする請求項５に記載のレンズ鏡筒を有するカメラ。
【請求項７】
レンズ鏡筒を有するカメラにおいて、
上記レンズ鏡筒が取り付けられるカメラ本体と、
上記カメラ本体に対し、上記レンズ鏡筒の光軸方向に移動可能な枠部材と、
上記枠部材に対し、当該レンズ鏡筒の光軸方向に相対移動可能なフレア絞り部材と、
を具備し、
上記フレア絞り部材は、上記カメラ本体に当接した後、上記枠部材の上記光軸方向の移動に応じて当該枠部材に対して当該光軸方向に相対移動することを特徴とするレンズ鏡筒を有するカメラ。
【請求項８】
レンズ鏡筒を有するカメラにおいて、
上記レンズ鏡筒が取り付けられるカメラ本体と、
上記カメラ本体に対し、上記レンズ鏡筒の光軸方向に移動可能な枠部材と、
上記枠部材に対し、当該レンズ鏡筒の光軸方向に相対移動可能なフレア絞り部材と、
を具備し、
上記フレア絞り部材は、上記カメラ本体に当接した後、上記枠部材の上記光軸方向の移動に応じて当該枠部材に相対的に接近することを特徴とするレンズ鏡筒を有するカメラ。
【発明の詳細な説明】
【０００１】
【発明の属する技術分野】
本発明は、レンズ鏡筒、詳しくは、フレア絞り機構を有するレンズ鏡筒に関するものである。
【０００２】
【従来の技術】
従来、光軸方向に移動するフレア絞り機構は種々提案されてきた。
【０００３】
たとえば、特公昭５８−４２４４３号公報に開示されている技術手段は、可動レンズ枠と固定部材との間に配置されたフレア絞りが、固定枠と可動レンズ枠の相対移動とカム手段を利用してフレア絞りを光軸方向に適当量移動させるものである。
【０００４】
また、特公昭６０−４１０２号公報に開示されている技術手段は、撮影ズームレンズのズーミングにより移動する各レンズ群とは独立して動作するフレア絞り駆動用カムを有し、この駆動用カムによりフレア絞りを駆動する構成になっている。
【０００５】
また、特開昭５６−８００１１号公報に開示されている技術手段は、移動枠に取付けた摩擦部材とフレア絞りを摩擦結合し、上記移動枠とは別の移動枠と固定枠との間でフレア絞りを係止することで、該摩擦力を利用して該フレア絞りを移動するというものである。
【０００６】
一方、実開平２−１１９６２７号には、後端側に移動するレンズが、さらにその後ろにおいて光軸方向に可動するフレア防止用の絞りが配設されたレンズ鏡筒が提案されている。
【０００７】
【発明が解決しようとする課題】
ところが、前述した従来技術、たとえば、上記特公昭５８−４２４４３号公報に開示されている技術手段の場合には、固定部材より可動レンズ枠を作動させるためのスペースが必要であり、またフレア絞り駆動用のカムも必要となる。
【０００８】
また、上記特開昭６０−４１０２号公報に開示されている技術手段の場合には、フレア絞り駆動用のカムがレンズ群駆動用のカムに連設して必要になる。
【０００９】
いずれの方式でもフレア絞りがないものに比べ
（１）．大きなスペースが必要
（２）．複雑な機構が必要なため、組立不良、コスト増大が生じる
といった問題を有している。
【００１０】
また、上記特開昭５６−８００１１号公報に開示されている技術手段では、上記（１），（２）に示す問題は生じないが、摩擦力を発生させるために摩擦部材を必要としたり、衝撃などを加えると移動枠からフレア絞りが脱落するといった問題があった。
【００１１】
また、上記実開平２−１１９６２７号で提案されたレンズ鏡筒において、上記可動絞りはカム手段等によって可動とされるが、このカム手段等を要することで、コストとスペースの増大を招いていた。
【００１２】
本発明は係る問題点に鑑みてなされたものであり、フレア絞りを駆動するために特に新規に部品を必要とせず、また衝撃にも強く、かつ、安定した動作を行えるフレア絞りを有するレンズ鏡筒を供給するにある。
【００１３】
【課題を解決するための手段】
上記の目的を達成するために本発明の第１のレンズ鏡筒は、レンズ鏡筒において、上記レンズ鏡筒の光軸方向に移動可能な枠部材と、回動を禁止され、上記枠部材に対して所定の範囲内で上記光軸方向に相対移動可能なように装着され、他の部材との当接により上記枠部材との光軸方向の相対位置を変更可能なフレア絞り部材と、を具備することを特徴とする。
【００１４】
上記の目的を達成するために本発明の第２のレンズ鏡筒は、レンズ鏡筒において、上記レンズ鏡筒の光軸方向に移動可能な第１の枠部材と、上記第１の枠部材と相対移動して上記光軸方向に進退可能な第２の枠部材と、上記第１の枠部材に対して上記光軸方向に相対移動可能なように装着され、上記第２の枠部材との光軸方向の当接により上記光軸方向に移動するフレア絞り部材と、を具備することを特徴とする。
【００１５】
上記の目的を達成するために本発明の第３のレンズ鏡筒は、上記第２のレンズ鏡筒において、上記第２の枠部材と上記フレア絞り部材との上記当接によって、上記フレア絞り部材は上記第１の枠部材から離間することを特徴とする。
【００１６】
上記の目的を達成するために本発明の第４のレンズ鏡筒は、上記第３のレンズ鏡筒において、上記フレア絞り部材と上記第１の枠部材との離間状態において、上記フレア絞り部材と上記第２の枠部材との離間状態では上記第１の枠部材と上記フレア絞り部材との上記離間状態を保持することを特徴とする。
上記の目的を達成するために本発明の第１のレンズ鏡筒を有するカメラは、レンズ鏡筒を有するカメラにおいて、上記レンズ鏡筒が取り付けられるカメラ本体と、上記カメラ本体に対し、上記レンズ鏡筒の光軸方向に移動可能な第１の枠部材と、上記第１の枠部材と相対移動して上記光軸方向に進退可能な第２の枠部材と、上記第１の枠部材に対して上記光軸方向に相対移動可能なように装着され、上記第２の枠部材との光軸方向の当接により上記光軸方向に移動するフレア絞り部材と、を具備することを特徴とする。
上記の目的を達成するために本発明の第２のレンズ鏡筒を有するカメラは、上記第１のレンズ鏡筒を有するカメラにおいて、上記フレア絞り部材は、上記カメラ本体に当接した後、上記第１の枠部材の光軸方向の移動に応じて当該第１の枠部材に対して光軸方向に相対移動することを特徴とする。
上記の目的を達成するために本発明の第３のレンズ鏡筒を有するカメラは、レンズ鏡筒を有するカメラにおいて、上記レンズ鏡筒が取り付けられるカメラ本体と、上記カメラ本体に対し、上記レンズ鏡筒の光軸方向に移動可能な枠部材と、上記枠部材に対し、当該レンズ鏡筒の光軸方向に相対移動可能なフレア絞り部材と、を具備し、上記フレア絞り部材は、上記カメラ本体に当接した後、上記枠部材の上記光軸方向の移動に応じて当該枠部材に対して当該光軸方向に相対移動することを特徴とする。
上記の目的を達成するために本発明の第４のレンズ鏡筒を有するカメラは、レンズ鏡筒を有するカメラにおいて、上記レンズ鏡筒が取り付けられるカメラ本体と、上記カメラ本体に対し、上記レンズ鏡筒の光軸方向に移動可能な枠部材と、上記枠部材に対し、当該レンズ鏡筒の光軸方向に相対移動可能なフレア絞り部材と、を具備し、上記フレア絞り部材は、上記カメラ本体に当接した後、上記枠部材の上記光軸方向の移動に応じて当該枠部材に相対的に接近することを特徴とする。
【００１７】
【発明の実施の形態】
以下、図面を参照して本発明の実施の形態を説明する。
【００１８】
図１は、本発明の一実施形態を示すレンズ鏡筒を有するカメラの要部断面図であって、図２，図３は、上記レンズ鏡筒を構成する各部材を、光軸方向に引き延ばして示した分解斜視図である。
【００１９】
この実施形態は、本発明をズームレンズ鏡筒に適用したものであって、このズームレンズ鏡筒はカメラ本体１に一体に取り付けられた固定筒１０を含んで構成されており、図１における上半部はズームレンズをワイド位置に移動させたワイド状態を、下半部はズームレンズをテレ位置に移動させたテレ状態をそれぞれ示している。
【００２０】
このレンズ鏡筒を有するカメラは、上記カメラ本体１の前部を覆う前カバー２および後部を覆う後カバー３と、裏蓋４とで、その主要部が構成されている。なお、上記後カバー３に対してヒンジ（図示されず）によって開閉自在に取り付けられた上記裏蓋４は、遮光用弾性部材５により光密的に閉蓋されるようになっている。
【００２１】
上記ズームレンズ鏡筒は、上記固定筒１０の外周面に回動自在に嵌合していて、光軸方向の移動を阻止された駆動筒２０と、固定筒１０の内周面に嵌合していて、上記駆動筒２０により駆動され、回動しながら光軸方向に前後動するカム筒３０と、このカム筒３０内に前方から順に配設されていて、光軸方向にそれぞれ前後動する第１レンズ筒４０，第２レンズ筒５０，第３レンズ筒６０と、同じく上記カム筒３０内に配設され、キー受け部材３４により光軸方向の移動を阻止されると共に上記固定筒１０によって光軸周りの回動が阻止されていて、上記第１レンズ筒４０，第２レンズ筒５０，第３レンズ筒６０の光軸周りの回動を規制するフロートキー８０と、上記第１レンズ筒４０の前面側に設けられていて、上記第２レンズ筒５０内に支持されたバリアドライバ５３（図１参照）によってバリア７１が開閉されるバリアユニット７０（図１参照）と、上記第２レンズ筒５０内に支持されたシャッタユニット５２（図１参照）によって開閉されるシャッタ羽根５４（図１参照）と、上記第２レンズ筒５０と第３レンズ筒６０間に張設されていて、後述するカム溝孔３０ｂ，３０ｃに対する駆動ローラ５０ａ，６０ａの嵌合のガタ付きを吸収するためのコイルバネからなる弾性部材９０と、上記フロートキー８０の後部に取り付けられたフレア絞り１００とで構成されている。
【００２２】
上記駆動筒２０は、その外周面に部分円弧状に形成された駆動ギアー２１，ガイドリブ２２，連動カム２３が前方から順に配設されている。上記駆動ギアー２１は、図示されないズーム駆動ユニットからの駆動力を受けて、駆動筒２０をガイドリブ２２にガイドされて光軸Ｏの周りに反時計方向Ａまたは時計方向Ｂ（図２参照）に回動させる。また、上記連動カム２３は図示しないファインダ光学系のレンズをズーミングする役目をする。そして、この駆動筒２０には、その周方向の３等分位置に光軸方向にガイド用長溝孔２０ａが設けられているほか、その後端縁には後述するデータユニット（図示せず）からのデート写込用光束を通過させる切欠部２０ｂが形成されている。また、この駆動筒２０の後端縁部には、同駆動筒２０の回動量を検出するためのエンコーダ２５０が設けられている。
【００２３】
上記固定筒１０は、上記カム筒３０を回転させながら光軸方向に前後動させるためのリード状のカム溝孔１０ａが、その周面の３等分位置に穿設されていると共に、内周面の周方向の３等分位置には後述するフロートキー８０のガイド用突起８０ａを嵌合させる直進ガイド溝１０ｂが穿設されている。そして、図２に示すように、この固定筒１０のフィルム面側に対向する後端部には、上記各カム溝孔１０ａのうちのカメラ上部に位置するカム溝孔１０ａの終端に隣って、光軸方向に長い矩形状の貫通孔１０ｃが設けられている。この貫通孔１０ｃは撮影時に上記駆動筒２０の切欠部２０ｂが重合するように形成されていて、データ写込み手段であるデータユニット（図示せず）からのデート写込用光束をフィルム面に向けて通過させる役目をする。また、この貫通孔１０ｃの、上記カム溝孔１０ａの終端とは反対側には、上記駆動筒２０の回動を規制するためのストップ用突起１０ｄが外周面上に突設されている。なお、固定筒１０の後端縁部に径方向に突出するように形成された突出片１０ｅはカメラ本体１への取付部である。
【００２４】
また、この固定筒１０の内周面に嵌合する上記カム筒３０は、その内周面に上記第１レンズ筒４０を光軸方向にズーミング移動させるためのカム溝３０ａが３等分位置にそれぞれ穿設されていると共に、同じく上記第２レンズ筒５０を光軸方向にズーミング移動させるためのカム溝３０ｂおよび上記第３レンズ筒６０を光軸方向にズーミング移動させるためのカム溝３０ｃが内周面の３等分位置にそれぞれ穿設されている。なお、該各カム溝３０ａ〜３０ｃの状態を図６に詳しく示す。この図６は、上記カム筒３０の内周面を一部切り取って平面的に示したものである。
【００２５】
再び図２に戻って、該カム筒３０の後端縁部の外周面の３等分位置にはビス３３によってズーム用駆動ローラ３２が固定されている。このローラ３２は上記固定筒１０のカム溝孔１０ａを貫通して上記駆動筒２０のガイド用長溝孔２０ａ内に嵌入している。したがって、上記駆動筒２０が光軸Ｏの周りに回動するとガイド用長溝孔２０ａによって該ズーム用駆動ローラ３２も回動するので、カム筒３０は上記カム溝孔１０ａによって回動しながら光軸方向に前後動する。
【００２６】
上記第１レンズ筒４０は、その内部の前部寄りに、第１レンズ群Ｌ1 （図１参照）を保持したレンズ支持枠４１が固定されていると共に、その内周面の３等分位置に比較的幅の広い光軸方向のガイド溝４０ｂが穿設されていて、同ガイド溝４０ｂには後述するフロートキー８０のキー部８０ｂの外面側が嵌入し、同レンズ筒４０が光軸方向にのみ移動するように規制している。また、このレンズ筒４０の後端部の外周面の３等分位置には駆動ローラ４０ａが固植されていて、同駆動ローラ４０ａはカム筒３０の上記カム溝３０ａに嵌入している。
【００２７】
上記第２レンズ筒５０は、その内部に、第２レンズ群Ｌ2 （図１参照）を保持したレンズ支持枠５１が固定されると共に、その外周面の３等分位置には前端壁５０ｃを有する比較的周方向に幅の広い後方が開放された光軸方向のガイド用凹部５０ｂが設けられていて、同ガイド用凹部５０ｂには上記ガイド溝４０ｂに嵌入するフロートキー８０のキー部８０ｂの内面側が嵌入し、同レンズ筒５０が光軸方向にのみ移動するように規制している。したがって、上記フロートキー８０のキー部８０ｂは上記ガイド溝４０ｂと上記ガイド用凹部５０ｂとに挾み込まれる形となっている。また、外周面の上記ガイド用凹部５０ｂ同士の間の後部には、駆動ローラ５０ａが固植されている。よって、この駆動ローラ５０ａはレンズ筒５０の後端部の外周面の３等分位置にそれぞれ固植されており、この各駆動ローラ５０ａはカム筒３０の上記カム溝３０ｂにそれぞれ嵌入している。
【００２８】
なお、この第２レンズ筒５０には、前述のようにシャッタユニット５２およびシャッタ羽根５４が配設されていて、同第２レンズ筒５０と一体に前後動するようになっている。
【００２９】
上記第３レンズ筒６０は、その内部に、第３レンズ群Ｌ3 （図１参照）を保持したレンズ支持枠６１が固定されていると共に、その外周面の３等分位置には比較的幅の広い周方向のガイド用切欠部６０ｂが設けられていて、同ガイド用切欠部６０ｂには上記ガイド溝４０ｂと上記ガイド用凹部５０ｂとの間に介在するフロートキー８０のキー部８０ｂが嵌入し、同レンズ筒６０が光軸方向にのみ移動するように規制している。また、このレンズ筒６０の外周面の上記ガイド用切欠部６０ｂ同士の間には、それぞれ駆動ローラ６０ａが固植されている。よって、この駆動ローラ６０ａはレンズ筒６０の外周面の３等分位置にそれぞれ固植されており、この各駆動ローラ６０ａはカム筒３０の上記カム溝３０ｃにそれぞれ嵌入している。
【００３０】
そして、この第３レンズ筒６０の前端面と上記第２レンズ筒５０の後端面との間には、カム溝孔３０ｂに嵌合した駆動ローラ５０ａとカム溝孔３０ｃに嵌合した駆動ローラ６０ａの嵌合のガタ付きを吸収するためにコイルバネからなる弾性部材９０が張設されている。
【００３１】
また、上記フロートキー８０は、前記カム筒３０の後端部内周に、その前部が位置する環状基部８０ｃと、その前面の３等分位置から前方に延び出した３本の上記キー部８０ｂと、この各キー部８０ｂの上記環状基部８０ｃ寄りの位置にそれぞれ穿設された光軸方向に長い長方形状の嵌合孔８０ｅと、上記環状基部８０ｃの外周面の３等分位置に突設されていて、前記固定筒１０の直進ガイド溝１０ｂに嵌合するガイド用突起８０ａとで形成されている。このフロートキー８０は、前記カム筒３０の後端縁部の外周面の３等分位置にビス３３によってズーム用駆動ローラ３２を固定する際に、同時に上記ビス３３により固定されたキー受け部材３４によって、その環状基部８０ｃの後端面が受けられることにより、カム筒３０と共に光軸方向には移動するも、ガイド用突起８０ａが固定筒１０の直進ガイド溝１０ｂに嵌合することによって光軸Ｏ周りの回動が阻止されている。そして、前方に向けて延び出した３本のキー部８０ｂが上記第３レンズ筒６０のガイド用切欠部６０ｂ，上記第２レンズ筒５０のガイド用凹部５０ｂ，上記第１レンズ筒４０のガイド溝４０ｂに挿通されている。
【００３２】
上記フレア絞り１００（図３参照）は、中央部にフレア絞り開口１００ｃが穿設された薄い円板の外周部に前方に向けて形成された環状周壁部１００ｂと、同環状周壁部１００ｂの前面の３等分位置から前方に向けて延び出した弾性を有する取付片１００ａと、この取付片１００ａの先端部の外周面に形成された係止爪１００ｄとで構成されていて、上記フロートキー８０の後方から、その内周壁面８０ｆに沿って前記第３レンズ筒６０と干渉しないように嵌合させ、取付片１００ａの係止爪１００ｄをフロートキー８０の長方形状の嵌合孔８０ｅに弾撥的に嵌入させることにより、フロートキー８０の後部に嵌合孔８０ｅの長さ分、光軸方向に移動できるように取り付けられる。
【００３３】
なお、図１に示すように前記前カバー２の前端部内周面と固定筒１０の前端部外周面との間は光密および液密を保持するためのＯリング１１が配設されており、また固定筒１０の前端部寄りの内周面とカム筒３０の外周面との間および上記カム筒３０の前端面と第１レンズ筒４０の外周面との間にも、それぞれ光密および液密を保持するための弾性リング１２，３１が配設されている。
【００３４】
次に、上述のように構成された上記ズームレンズ鏡筒と上記フレア絞り１００の動作について図２〜図５を参照して説明する。なお、図５は該ズームレンズ鏡筒内における各レンズ群の、沈胴状態からテレ状態（以下、Ｔ状態という）までの動きを示した線図である。
【００３５】
まず、図示しないズームモータユニット出力ギアーが前記駆動ギアー２１に噛合し、駆動筒２０をＡ方向またはＢ方向（図２参照）に回転させる。このとき、仮に沈胴状態からＡ方向に回転したとすると、ガイド用長溝孔２０ａとカム溝孔１０ａとの関係によりカム筒３０はＡ方向に回転しながら光軸Ｃ方向（図２参照）に移動する。また、このときカム筒３０に回転のみ自在で光軸方向には一体となっているフロートキー８０は直進ガイド溝１０ｂとガイド用突起８０ａとの関係で回転せずに光軸Ｃ方向に直進移動する。また前述したようにフロートキー８０に対し第１レンズ筒４０、第２レンズ筒５０、第３レンズ筒６０は回転しない構成になっているので第１レンズ筒４０、第２レンズ筒５０、第３レンズ筒６０も回転せずに直進移動のみをする。
【００３６】
ここで、上記カム筒３０におけるカム溝は、前述したように第１レンズ群用のカム溝３０ａ、第２レンズ群用のカム溝３０ｂ、第３レンズ群用のカム溝３０ｃにより構成されており、上記カム溝３０ａ，３０ｂ，３０ｃと前記カム溝孔１０ａとにより合成された該各レンズ群の最大移動量ＬＬ１，ＬＬ２，ＬＬ３は図５に示すようになっている。上記最大移動量ＬＬ１，ＬＬ２，ＬＬ３は、それぞれ第１レンズ群Ｌ1 ，第２レンズ群Ｌ2 ，第３レンズ群Ｌ3 の最大移動量を示している。また、図中、符号Ｌ1 ，Ｌ2a，Ｌ2b，Ｌ3 は、ともに上記各レンズ群の移動軌跡を示しており、Ｌ1 は第１レンズ群の軌跡，Ｌ2a，Ｌ2bは第２レンズ群における至近時と無限大時の軌跡，Ｌ3 は、第３レンズ群の軌跡をそれぞれ示している。なお、図中、符号１ｂは、フィルム面を、また、符号ＬＬＭは、レンズ支持枠４１から駆動ローラ６０ａまでの最小長さをそれぞれ示す。
【００３７】
さて、フロートキー８０を基準に考えれば上記カム筒３０は回転のみをするので、このカム筒３０の回転により上記各レンズ群は図５に示すように沈胴状態からＴ状態方向に移動する。
【００３８】
また、上記ズームモータユニットの出力ギアーが逆方向に回転すれば駆動筒２０はＢ方向（図２参照）に回転し、結果として上記各レンズ群は図５に示すようにＴ状態から沈胴状態方向に移動する。
【００３９】
なお、駆動筒２０に設けられた切欠部２０ｂは固定筒１０に設けられたストップ用突起１０ｄに係合し、駆動筒２０が沈胴状態よりもさらに沈胴方向に行き過ぎるときと、Ｔ状態よりもさらにテレ側に行き過ぎるときに該駆動筒２０の回転を規制するようになっている。
【００４０】
次に図４によりズーミングによるフレア絞り１００の動作を説明する。
【００４１】
まず図４（ａ）の状態は各レンズ群が沈胴状態のときの該フレア絞り１００の状態を示している。沈胴状態ではフレア絞り１００は本体１のマスク前側面１ａに当接する状態となっている。このとき、フレア絞り１００の前端面１００ｆとレンズ支持枠６１の後端面６１ａの間には若干の隙間がある。また、この状態のときにはフレア絞り１００の係止爪１００ｄはフロートキー８０の嵌合孔８０ｅの前端寄りに位置している。
【００４２】
次に各レンズ群がＷ状態までズーミングしたときの該フレア絞り１００の状態を図４（ｂ）にて説明する。この状態のときは、カム筒３０は固定筒１０に設けたカム溝孔１０ａに沿って光軸方向に移動する。そして、このカム筒３０の動きに併せてフロートキー８０も同じ量だけ光軸方向に移動する。このとき第３レンズ筒６０は図６に示すように、カム筒３０、フロートキー８０に対して光軸方向に距離Ｆ２だけ後戻りしている。この動きにより第３レンズ筒６０と噛合しているレンズ支持枠６１の後端面６１ａがフレア絞り１００の前端面１００ｆに当接し、フレア絞り１００を光軸後方に押し出すことになる。
【００４３】
次に図４（ｃ）に示すように、各レンズ群がＴ状態までズーミングした場合には、カム筒３０、フロートキー８０は固定筒１０に設けたカム溝孔１０ａに沿って光軸方向に移動する。このとき第３レンズ筒６０は光軸方向に距離Ｆ３（図６参照）だけ移動している。しかし、この第３レンズ筒６０の移動はフレア絞り１００には物理的な影響を及ぼさないのでフロートキー８０とフレア絞り１００の位置関係はＷ状態から変化しない。このとき、フレア絞り開口１００ｃは第３レンズ群とマスク前側面１ａの中間に位置し、またＴ状態の有効光束ＯＰをけらないようになる。
【００４４】
次に各レンズ群がＴ状態からＷ状態にズーミングした場合には図４（ｃ）から図４（ｂ）にそのまま至るだけなので、ここでは特に説明しない。
【００４５】
各レンズ群がＷ状態から沈胴状態にいたる場合には、フロートキー８０に対して第３レンズ筒６０が距離Ｆ２（図６参照）だけ前方に移動することになる。したがって、これだけではフロートキー８０に対してフレア絞り１００は不動のままになる。しかし、このとき固定筒１０に対してカム筒３０、フロートキー８０が光軸Ｄ方向（図２参照）に移動するのでフレア絞り１００も同量だけ後方に移動する。このときレンズの全長を極力短くするためには沈胴量を最大にする必要がある。そのためにはフロートキー８０が本体１に当接するくらい沈胴する必要がある。
【００４６】
したがって、図４（ｂ）に示しているようにフロートキー８０の後端面部から突出しているフレア絞り１００は距離Ｆ２だけマスク前側面１ａにフロートキー８０に対して相対的に前方に押し出されることになる。この移動を行ってもフレア絞り開口１００ｃは第３レンズ群には当接しないように構成されている。
【００４７】
したがって、このように構成されたフレア絞りは、沈胴状態→Ｗ状態→Ｔ状態（→Ｗ状態→沈胴状態）で第３レンズ群に対し相対的に光軸方向に移動して適当な箇所に位置することで、フレア絞りとしての効果が期待できる。
【００４８】
また、フレア絞り１００の係止爪１００ｄがフロートキー８０の内周壁面８０ｆに嵌合しているので、フレア絞り１００の取付片１００ａがフロートキー８０のキー部８０ｂに弾性附勢されても安定した作動をすることができる。
【００４９】
さらに、フレア絞り１００の係止爪１００ｄがフロートキー８０の嵌合孔８０ｅに係合しているのでレンズ鏡筒に衝撃などの加わってもフロートキー８０に対しフレア絞り１００が脱落することはない。
【００５０】
【発明の効果】
以上述べたように本発明によれば、フレア絞りを駆動するために特に新規に部品を必要とせず、簡単な部品構成でその動作を行えるフレア絞りを有するレンズ鏡筒を供給できる。
【図面の簡単な説明】
【図１】本発明の一実施形態を示すレンズ鏡筒の断面図。
【図２】上記レンズ鏡筒の構成部材を光軸方向に引き延ばして示した分解斜視図。
【図３】上記レンズ鏡筒の構成部材を光軸方向に引き延ばして示した分解斜視図。
【図４】上記レンズ鏡筒におけるフレア絞り部周辺を示した拡大断面図。
【図５】上記レンズ鏡筒における各レンズ群の移動状態を示した線図。
【図６】上記レンズ鏡筒におけるカム筒の周面に設けられたカム溝を示した平面図。
【符号の説明】
１…カメラ本体
２…前カバー
３…後カバー
４…裏蓋
５…遮光用弾性部材
１０…固定筒
２０…駆動筒
３０…カム筒
３０ａ，３０ｂ，３０ｃ…カム溝
４０…第１レンズ筒
５０…第２レンズ筒
６０…第３レンズ筒
４１，５１，６１…レンズ支持枠
７０…バリアユニット
８０…フロートキー
８０ａ…ガイド用突起
８０ｂ…キー部
８０ｃ…環状基部
８０ｅ…嵌合孔
９０…弾性部材
１００…フレア絞り
１００ａ…取付片
１００ｂ…環状周壁部
１００ｃ…フレア絞り開口
１００ｄ…係止爪
Ｌ1 …第１レンズ群
Ｌ2 …第２レンズ群
Ｌ3 …第３レンズ群
【図１】
0003668436.tif 000002
【図２】
0003668436.tif 000003
【図３】
0003668436.tif 000004
【図４】
0003668436.tif 000005
【図５】
0003668436.tif 000006
【図６】
0003668436.tif 000007